(57)【要約】【課題】  本考案は、繋ぎ部分の凹凸をなくして目立たなくし、低コストで接続作業を容易にし、かつ、加工技術の困難な角度での管材の接続や複雑に曲がった管材の接続を容易にすることができる管材接続用継ぎ手を提供する。【解決手段】  本考案の管材接続用継ぎ手は、管材Ａの内径とほぼ同径の接続部に管材を差し込み接着するので、繋ぎ部分の凹凸をなくして目立たなくすることができる。また、低コストで接続作業を容易にする。さらに、加工技術の困難な角度での管材の接続や複雑に曲がった管材の接続を容易にする。【選択図】  図１
0003125588.tif 000002
【実用新案登録請求の範囲】
【請求項１】
管材の一方の端に、管材の内径と同等の本継ぎ手を別の同形管材との２点を差込み接着して直管となることを特徴とする管材接続部継ぎ手。
【請求項２】
管材の一方の端に、管材の内径と同等の本継ぎ手を別の同形管材との２点を差込み接着して９０度の曲がり管となることを特徴とする管材接続部継ぎ手。
【請求項３】
管材の一方の端に、管材の内径と同等の本継ぎ手を別の同形管材とを差込み更に別の同形管材との３点を接着して直管と９０度の曲り管とのＴ字型となることを特徴とする管材接続部継ぎ手。
【請求項４】
管材の一方の端に、管材の内径と同等の本継ぎ手を別の同形管材とを差込み更に別の同形管材との３点を接着して９０度の曲り管と水平管となることを特徴とする管材接続部継ぎ手。
【請求項５】
管材の一方の端に、管材の内径と同等の本継ぎ手を別の同形管材との２点を差込み接着して４５度の曲り管となることを特徴とする管材接続部継ぎ手。
【請求項６】
管材の一方の端に、管材の内径と同等の本継ぎ手を別の同形管材とを差込み更に別の同形管材との３点を接着して４５度の曲り管と水平管となることを特徴とする管材接続部継ぎ手。
【請求項７】
管材の一方の端に、管材の内径と同等の本継ぎ手を別の同形管材とを差込み更に別の同形管材との３点を接着して直管と４５度の曲り管となることを特徴とする管材接続部継ぎ手。
【請求項８】
管材の一方の端に、管材の内径と同等の本継ぎ手を別の同形管材とを差込み更に別の同形管材と別の管材との４点を接着して直管と４５度の曲り管と水平管となることを特徴とする管材接続部継ぎ手。
【請求項９】
管材の一方の端に、管材の内径と同等の本継ぎ手を別の同形管材とを差込み更に別の同形管材と別の管材との４点を接着して直管と４５度の曲り管と水平管となることを特徴とする管材接続部継ぎ手。
【請求項１０】
管材の一方の端に、管材の内径と同等の本継ぎ手を別の同形管材と２点を差込み接着して１３５度の曲がり管となることを特徴とする管材接続部継ぎ手。
【請求項１１】
管材の一方の端に、管材の内径と同等の本継ぎ手を別の同形管材を差込み更に別の同形管材との３点を接着して１３５度の曲り管と水平管となることを特徴とする管材接続部継ぎ手。
【請求項１２】
管材の一方の端に、管材の内径と同等の本継ぎ手を別の同形管材とを差込み更に別の同形管材と別の管材と別の管材との５点を接着して直管と４５度の曲り管と水平管と垂直管となることを特徴とする管材接続部継ぎ手。
【請求項１３】
管材の終点部の端に雨水、塵等の浸入を防止するとともに、照明具を取り付ける部分を有することを特徴とする管材接続部継ぎ手。
【請求項１４】
管材の一方の端を直立又は水平に固定する相手方が角又は先端の時に固定する部分を有することを特徴とする管材接続部継ぎ手。
【請求項１５】
管材の一方の端に、管材の内径と同等の本継ぎ手を別の同形管材とを差込み更に別の同形管材と別の管材との４点を接着して直管と９０度の曲り管と水平管となることを特徴とする管材接続部継ぎ手。
【請求項１６】
管材の一方の端に、管材の内径と同等の本継ぎ手を別の同形管材とを差込み更に別の内外径管材とを接着することを特徴とする管材接続部継ぎ手。
【考案の詳細な説明】
【技術分野】
【０００１】
本考案は、例えばバルコニーの手摺り、階段の手摺り、室内装飾棚、落下防止具、建築物の骨組み、品物棚、物置、船具、船具、スポーツ用具等に用いられる管材接続用継ぎ手に関する。
【背景技術】
【０００２】
従来、例えばネジ込み式の水道管等の管材における接続部は、管材の径よりも太く形成されるため、繋ぎ部分が目立ち、外観を損ねていた（例えば特許文献１参照）。
【０００３】
また、管材の接続においては、鉄工技術者により加工を行っていたが、ネジ切り旋盤が必要でありコスト高になり、接続部分が凹凸になるので、接続が煩雑である。
【０００４】
また、管材に亜鉛メッキを用いた場合には加工後に再度加工部の亜鉛メッキを施す必要があった。
【０００５】
さらに、加工技術の困難な角度での管材の接続や複雑に曲がった管材の接続は困難であった。
【特許文献１】特開平６−１７８１０号公報
【考案の開示】
【考案が解決しようとする課題】
【０００６】
本考案は、上記課題を解決するためになされたものであり、繋ぎ部分の凹凸をなくして目立たなくし、低コストで接続作業を容易にし、かつ、加工技術の困難な角度での管材の接続や複雑に曲がった管材の接続を容易にすることができる管材接続用継ぎ手を提供することを目的とする。
【課題を解決するための手段】
【０００７】
本考案の第１の管材接続部継ぎ手は、管材の一方の端に、管材の内径と同等の本継ぎ手を別の同形管材との２点を差込み接着して直管となることを特徴とするものである。
【０００８】
本考案の第２の管材接続部継ぎ手は、管材の一方の端に、管材の内径と同等の本継ぎ手を別の同形管材との２点を差込み接着して９０度の曲がり管となることを特徴とするものである。
【０００９】
本考案の第３の管材接続部継ぎ手は、管材の一方の端に、管材の内径と同等の本継ぎ手を別の同形管材とを差込み更に別の同形管材との３点を接着して直管と９０度の曲り管とのＴ字型となることを特徴とするものである。
【００１０】
本考案の第４の管材接続部継ぎ手は、管材の一方の端に、管材の内径と同等の本継ぎ手を別の同形管材とを差込み更に別の同形管材との３点を接着して９０度の曲り管と水平管となることを特徴とするものである。
【００１１】
本考案の第５の管材接続部継ぎ手は、管材の一方の端に、管材の内径と同等の本継ぎ手を別の同形管材との２点を差込み接着して４５度の曲り管となることを特徴とするものである。
【００１２】
本考案の第６の管材接続部継ぎ手は、管材の一方の端に、管材の内径と同等の本継ぎ手を別の同形管材とを差込み更に別の同形管材との３点を接着して４５度の曲り管と水平管となることを特徴とするものである。
【００１３】
本考案の第７の管材接続部継ぎ手は、管材の一方の端に、管材の内径と同等の本継ぎ手を別の同形管材とを差込み更に別の同形管材との３点を接着して直管と４５度の曲り管となることを特徴とするものである。
【００１４】
本考案の第８の管材接続部継ぎ手は、管材の一方の端に、管材の内径と同等の本継ぎ手を別の同形管材とを差込み更に別の同形管材と別の管材との４点を接着して直管と４５度の曲り管と水平管となることを特徴とするものである。
【００１５】
本考案の第９の管材接続部継ぎ手は、管材の一方の端に、管材の内径と同等の本継ぎ手を別の同形管材とを差込み更に別の同形管材と別の管材との４点を接着して直管と４５度の曲り管と水平管となることを特徴とするものである。
【００１６】
本考案の第１０の管材接続部継ぎ手は、管材の一方の端に、管材の内径と同等の本継ぎ手を別の同形管材と２点を差込み接着して１３５度の曲がり管となることを特徴とするものである。
【００１７】
本考案の第１１の管材接続部継ぎ手は、管材の一方の端に、管材の内径と同等の本継ぎ手を別の同形管材を差込み更に別の同形管材との３点を接着して１３５度の曲り管と水平管となることを特徴とするものである。
【００１８】
本考案の第１２の管材接続部継ぎ手は、管材の一方の端に、管材の内径と同等の本継ぎ手を別の同形管材とを差込み更に別の同形管材と別の管材と別の管材との５点を接着して直管と４５度の曲り管と水平管と垂直管となることを特徴とするものである。
【００１９】
本考案の第１３の管材接続部継ぎ手は、管材の終点部の端に雨水、塵等の浸入を防止するとともに、照明具を取り付ける部分を有することを特徴とするものである。
管材接続部継ぎ手。
【００２０】
本考案の第１４の管材接続部継ぎ手は、管材の一方の端を直立又は水平に固定する相手方が角又は先端の時に固定する部分を有することを特徴とするものである。
【００２１】
本考案の第１５の管材接続部継ぎ手は、管材の一方の端に、管材の内径と同等の本継ぎ手を別の同形管材とを差込み更に別の同形管材と別の管材との４点を接着して直管と９０度の曲り管と水平管となることを特徴とするものである。
【００２２】
本考案の第１６の管材接続部継ぎ手は、管材の一方の端に、管材の内径と同等の本継ぎ手を別の同形管材とを差込み更に別の内外径管材とを接着することを特徴とするものである。
【考案の効果】
【００２３】
本考案によれば、管材の内径とほぼ同径の接続部に管材を差し込み接着するので、繋ぎ部分の凹凸をなくして目立たなくすることができる。
【００２４】
また、低コストで接続作業を容易にする。
【００２５】
さらに、加工技術の困難な角度での管材の接続や複雑に曲がった管材の接続を容易にする。
【考案を実施するための最良の形態】
【００２６】
以下、本考案の実施形態例を従来技術と比較しながら、図面を参照して説明する。なお、図面中、Ａは管材を示し、灰色の部分は管材接続用継ぎ手及びその接続部を示し、管材Ａの内部構成を示している。各管材接続用継ぎ手は、管材との接続部分に接着剤が塗布されて管材と接着される。各管材接続用継ぎ手は、亜鉛メッキ色、ステンレス色、無塗装等管材と合わせることができる。
【００２７】
図１は、本考案の第１の実施の形態に係る管材接続用継ぎ手を用いて管材を接続した例を示す正面断面図である。図２は、図１の平面断面図である。
【００２８】
符号１は、管材の一方の端に、管材Ａの内径と同等の本継ぎ手を別の同形管材との２点を差込み接着して直管となることを特徴とする管材接続部継ぎ手である。
【００２９】
符号２は、管材の一方の端に、管材の内径と同等の本継ぎ手を別の同形管材との２点を差込み接着して９０度の曲がり管となることを特徴とする管材接続部継ぎ手である。
【００３０】
符号３は、管材の一方の端に、管材の内径と同等の本継ぎ手を別の同形管材とを差込み更に別の同形管材との３点を接着して直管と９０度の曲り管とのＴ字型となることを特徴とする管材接続部継ぎ手である。
【００３１】
符号４は、管材の一方の端に、管材の内径と同等の本継ぎ手を別の同形管材とを差込み更に別の同形管材との３点を接着して９０度の曲り管と水平管となることを特徴とする管材接続部継ぎ手である。
【００３２】
符号１４は、管材の一方の端を直立又は水平に固定する相手方が角（コーナー部）又は先端の時に固定する部分を有することを特徴とする管材接続部継ぎ手である。
【００３３】
符号１５は、管材の一方の端に、管材の内径と同等の本継ぎ手を別の同形管材とを差込み更に別の同形管材と別の管材との４点を接着して直管と９０度の曲り管と水平管となることを特徴とする管材接続部継ぎ手である。
【００３４】
符号１６は、管材の一方の端に、管材の内径と同等の本継ぎ手を別の同形管材とを差込み更に別の口径の異なる管材とを接着することを特徴とする管材接続部継ぎ手である。
【００３５】
図３は、本考案の第２の実施の形態に係る管材接続用継ぎ手を用いて管材Ａを接続した例を示す正面断面図である。図４は、図３の平面断面図である。
【００３６】
符号５は、、管材の一方の端に、管材の内径と同等の本継ぎ手を別の同形管材との２点を差込み接着して４５度の曲り管となることを特徴とする管材接続部継ぎ手である。
【００３７】
符号７は、管材の一方の端に、管材の内径と同等の本継ぎ手を別の同形管材とを差込み更に別の同形管材との３点を接着して直管と４５度の曲り管となることを特徴とする管材接続部継ぎ手である。
【００３８】
符号８は、管材の一方の端に、管材の内径と同等の本継ぎ手を別の同形管材とを差込み更に別の同形管材と別の管材との４点を接着して直管と４５度の曲り管と水平管となることを特徴とする管材接続部継ぎ手である。
【００３９】
図５は、本考案の第３の実施の形態に係る管材接続用継ぎ手を用いて管材Ａを接続した例を示す正面断面図である。図６は、図５の平面断面図である。
【００４０】
符号６は、管材の一方の端に、管材の内径と同等の本継ぎ手を別の同形管材とを差込み更に別の同形管材との３点を接着して４５度の曲り管と水平管となることを特徴とする管材接続部継ぎ手である。
【００４１】
符号９は、管材の一方の端に、管材の内径と同等の本継ぎ手を別の同形管材とを差込み更に別の同形管材と別の管材との４点を接着して直管と４５度の曲り管と水平管となることを特徴とする管材接続部継ぎ手である。
【００４２】
符号１０は、管材の一方の端に、管材の内径と同等の本継ぎ手を別の同形管材と２点を差込み接着して１３５度の曲がり管となることを特徴とする管材接続部継ぎ手である。
【００４３】
符号１１は、管材の一方の端に、管材の内径と同等の本継ぎ手を別の同形管材を差込み更に別の同形管材との３点を接着して１３５度の曲り管と水平管となることを特徴とする管材接続部継ぎ手である。
【００４４】
符号１２は、管材の一方の端に、管材の内径と同等の本継ぎ手を別の同形管材とを差込み更に別の同形管材と別の管材と別の管材との５点を接着して直管と４５度の曲り管と水平管と垂直管となることを特徴とする管材接続部継ぎ手である。
【００４５】
符号１３は、雨水、塵等の防止部材又は照明部材１３ａを接続する部分を有する管材接続用継ぎ手である。
【００４６】
本考案は、上記実施例に限定されることはなく、実用新案登録請求の範囲に記載された技術的事項の範囲内において、種々の変更が可能である。
【図面の簡単な説明】
【００４７】
【図１】本考案の第１の実施の形態に係る管材接続用継ぎ手を用いて管材を接続した例を示す正面断面図である。
【図２】図１の平面断面図である。
【図３】本考案の第２の実施の形態に係る管材接続用継ぎ手を用いて管材を接続した例を示す正面断面図である。
【図４】図３の平面断面図である。
【図５】本考案の第３の実施の形態に係る管材接続用継ぎ手を用いて管材を接続した例を示す正面断面図である。
【図６】図５の平面断面図である。
【符号の説明】
【００４８】
１〜１６：管材接続用継ぎ手
Ａ：管材
【図１】
0003125588.tif 000003
【図２】
0003125588.tif 000004
【図３】
0003125588.tif 000005
【図４】
0003125588.tif 000006
【図５】
0003125588.tif 000007
【図６】
0003125588.tif 000008
【手続補正書】
【提出日】平成18年7月18日(2006.7.18)
【手続補正１】
【補正対象書類名】実用新案登録請求の範囲
【補正対象項目名】請求項１３
【補正方法】変更
【補正の内容】
【請求項１３】
管材の終点部の端に雨水、塵等の浸入を防止するとともに、照明具を取り付ける部分を有することを特徴とする請求項１に記載の管材接続部継ぎ手。
【手続補正２】
【補正対象書類名】実用新案登録請求の範囲
【補正対象項目名】請求項１４
【補正方法】変更
【補正の内容】
【請求項１４】
管材の一方の端を直立又は水平に固定する相手方が角又は先端の時に固定する部分を有することを特徴とする請求項１に記載の管材接続部継ぎ手。